(57)【要約】【課題】広範囲に高圧空気を送る場合でも、高圧空気の強さの減衰を抑え、広範囲に高圧空気を供給できる気流吹出し装置及びそれを用いた手乾燥装置を提供することを目的とする。【解決手段】複数の静止した流体ノズルａ１４、流体ノズルｂ１５から、吹出し方向を振動させた高圧空気１２を流体ノズルａ１４、流体ノズルｂ１５から順々に吹出すようにしたことを特徴とした気流吹出し装置ａ１１およびそれを用いた手乾燥装置とすることで、広範囲に低消費電力で高圧空気１２を供給することができ、手乾燥などを省エネで実現できる。【選択図】図１
2010279586.tif 000002
【特許請求の範囲】
【請求項１】
複数の静止したノズルを備え、複数の静止した前記ノズルから、吹出し方向を振動させた高圧空気を各々の前記ノズルから順々に吹出すようにしたことを特徴とした気流吹出し装置。
【請求項２】
高圧空気を取り入れる吸込み口と、前記高圧空気を複数のノズルまで案内する少なくとも一つの風路分岐部を有する吹出し風路を備え、前記風路分岐部に空気分配手段を設け、前記風路分岐部により分岐された前記吹出し風路に前記空気分配手段により順々に前記高圧空気が流れるようにした請求項１記載の気流吹出し装置。
【請求項３】
ノズルから吹出される高圧空気の吹出し方向が自励振動するようにしたことを特徴とする請求項１または２記載の気流吹出し装置。
【請求項４】
ノズルが風路分岐部により分岐された吹出し風路と、略長方形で外部に向けて拡大する吹出し口と、前記吹出し風路から前記吹出し口を連通する略長方形の主流路と、前記主流路の長辺側の片面から分岐して、反対側の前記主流路の長辺側の面に連通する循環風路とを備えて前記吹出し口から吹出す高圧空気を前記主流路の短辺方向に振動させる流体ノズルであることを特徴とする請求項１乃至３いずれかに記載の気流吹出し装置。
【請求項５】
空気分配手段が、風路を切り替える構造体であることを特徴とする請求項１乃至４いずれかに記載の気流吹出し装置。
【請求項６】
空気分配手段が弁またはダンパーであることを特徴とする請求項５に記載の気流吹出し装置。
【請求項７】
空気分配手段が、高圧空気の送風方向を自励振動させる構成としたことを特徴とする請求項請求項１乃至４いずれかに記載の気流吹出し装置。
【請求項８】
空気分配手段を流体素子とし、前記流体素子が、吸込み口と、略長方形で複数のノズル側に向けて拡大する吹出し風路と、高圧空気を前記複数のノズルに分岐する風路分岐部と、前記吸込み口から前記吹出し風路を連通する略長方形の主流路と、前記主流路の長辺側の片面から分岐して反対側の前記主流路の長辺側の面に連通する循環風路とを備えて、前記吹出し風路から吹出す高圧空気を前記主流路の短辺方向に振動させ高圧空気を前記風路分岐部により分岐された二つの前記吹出風路に交互に送ることを特徴とする請求項７に記載の気流吹出し装置。
【請求項９】
流体素子の循環風路とノズルとの間に、減圧手段を設けたことを特徴とする請求項８に記載の気流吹出し装置。
【請求項１０】
減圧手段が、気流吹出装置の外部と連通した逃がし風路を設けたことを特徴とする請求項９に記載の気流吹出し装置。
【請求項１１】
逃がし風路から吹出される高圧空気の方向が、ノズルから吹出される高圧空気の方向と同一方向となるように逃がし風路を前記ノズル近傍に設けたことを特徴とする請求項１０に記載の気流吹出し装置。
【請求項１２】
風路分岐部を複数設けたことを特徴とする請求項１乃至１１いずれかに記載の気流吹出し装置。
【請求項１３】
手を挿入できる空間を有する手乾燥室と、前記手乾燥室に向かって高圧空気を吹出す請求項１乃至１２いずれかに記載の気流吹出装置と、前記気流吹出し装置に高圧空気を供給する高圧空気発生装置とを設けた手乾燥装置。
【請求項１４】
複数のノズルを手の挿入方向と略垂直方向に配置したことを特徴とする請求項１３に記載の手乾燥装置。
【請求項１５】
高圧空気の振動方向が手の挿入方向と略垂直方向であることを特徴とする請求項１３または１４に記載の手乾燥装置。
【請求項１６】
隣り合うノズルから交互に高圧空気が吹出すことを特徴とする請求項１３乃至１５いずれかに記載の手乾燥装置。
【請求項１７】
複数のノズルを二つのノズルのグループに分け、前記二つのノズルのグループを対向して配置したことを特徴とする請求項１３乃至１６いずれかに記載の手乾燥装置。
【請求項１８】
対向したノズルから交互に高圧空気が吹出すことを特徴とする請求項１７に記載の手乾燥装置。
【発明の詳細な説明】
【技術分野】
【０００１】
本発明は、気流吹出し装置およびそれを用いた手乾燥装置に関するものである。
【背景技術】
【０００２】
従来、この種の気流吹出し装置は、人体および衣服あるいは製品に吹き付け、塵埃や水滴を吹飛ばすことを目的としたもので、広い範囲に高圧空気を当てるためにコアンダ効果を利用して吹出部の気流方向が変化させる方式（例えば、特許文献１参照）や、ノズルを可動させる方式（例えば、特許文献２参照）が知られている。
【０００３】
以下、その気流吹出し装置の一例について図８および図９を参照しながら説明する。
【０００４】
図７に示すように、気流吹出し装置は送風装置１０１とフィルタ１０２と流体ノズル１０３とから構成され、送風装置１０１から送られた空気をフィルタ１０２を通して流体ノズル１０３から吹出す装置である。流体ノズル１０３から吹出す空気は、コアンダ効果を利用して吹出部の気流方向が変化することを特徴としている。
【０００５】
図８に示すように、気流吹出し装置は気体吹出しノズル２０１と、気体吹出しノズル２０１に高圧空気を供給する供給部２０２と、気体吹出しノズル２０１を駆動する吹出しノズル駆動手段２０３で構成されている。吹出しノズル駆動手段２０３により気体吹出しノズル２０１を可動させることで、広い範囲に高圧空気を供給することを特徴としている。
【先行技術文献】
【特許文献】
【０００６】
【特許文献１】特許第３９７１９９１号公報
【特許文献２】特開２００３−２３５７５６号公報
【発明の概要】
【発明が解決しようとする課題】
【０００７】
このような従来の気流吹出し装置においては、静止したノズルから高圧空気の吹出し方向を振動させるものの、一つのノズルからより広範囲に高圧空気を供給する場合には振動角を広げるかノズルの開口を大きくしなければならず、振動角を広げた場合にはノズル中心から離れるに従い高圧空気を供給する対象との距離が必然的に大きくなり風速が減衰してしまうため、高圧空気を広範囲に供給することができないという課題があった。また、ノズルの開口を大きくする場合には同じ風量では風速が小さくなるため風量を大きくせねばならず、消費電力が増大してしまうという課題があった。
【０００８】
また、ノズルを可動させるものでは、ノズルを可動させるための機構と駆動手段が必要であり、装置が大型化してしまうという課題があった。また、可動しているノズルに外部から異物が接触することで正常な可動を妨げられ、安定して高圧空気を広範囲に供給する機能を発揮できないという課題があった。
【０００９】
そこで本発明は、上記従来の課題を解決するものであり、装置をコンパクトに保ちつつ、ノズルに外部から異物が接触しても安定して高圧空気を広範囲に供給することができ、省エネな気流吹出し装置及びそれを用いた手乾燥装置を提供することを目的とする。
【課題を解決するための手段】
【００１０】
そして、この目的を達成するために、本発明は、複数の静止したノズルを備え、複数の静止した前記ノズルから、吹出し方向を振動させた高圧空気を各々の前記ノズルから順々に吹出すことを特徴とした気流吹出し装置としたものであり、これにより所期の目的を達成するものである。
【発明の効果】
【００１１】
本発明によれば、複数の静止したノズルを備え、その複数の静止したノズルから、吹出し方向を振動させた高圧空気を各々のノズルから順々に吹出すようにしたことを特徴とした気流吹出し装置という構成にしたことにより、ノズルを複数配置しても各々のノズルからは単ノズルのときに近い強度の高圧空気を得ることができるため、広範囲に高圧空気を送ることができ、単純にノズルを複数配置した場合に比べ風速を維持したまま風量を低減することで消費電力を低減することができる。また、複数の静止したノズルを備えておりノズルが動かないので、ノズルに外部から異物が接触しても安定して機能を発揮することができる。また、ノズルを動かすことがないので、ノズルを動かすために機構が不要であり、装置をコンパクトにできる。また高圧空気の吹出し方向を振動させることで広範囲に高圧空気を送ることができるため、ノズルの数を減らすことができ、風速を維持したまま風量を低減することで消費電力を低減することができる。
【図面の簡単な説明】
【００１２】
【図１】本発明の実施の形態１の気流吹出し装置の斜視図
【図２】本発明の実施の形態１の気流吹出し装置の拡大図
【図３】本発明の実施の形態１の気流吹出し装置の拡大図
【図４】本発明の実施の形態２の気流吹出し装置の斜視図
【図５】本発明の実施の形態３の手乾燥装置の概略断面図
【図６】本発明の実施の形態３の手乾燥装置の気流吹出し装置の拡大図
【図７】本発明の実施の形態４の手乾燥装置の概略断面図
【図８】従来技術の一例を示す断面図
【図９】従来技術の別の一例を示す断面図
【発明を実施するための形態】
【００１３】
本発明の請求項１記載の気流吹出し装置は、複数の静止したノズルを備え、複数の静止したノズルから、吹出し方向を振動させた高圧空気を各々のノズルから順々に吹出すようにしたことを特徴とするものである。これにより、ノズルを動かすことがないので、ノズルを動かすために機構が不要であり、装置をコンパクトにできる。また、ノズルが動かないので、ノズルに外部から異物が接触しても安定して機能を発揮することができる。また、ノズルを複数配置しても各々のノズルからは単ノズルのときに近い強度の高圧空気を得ることができるため、広範囲に高圧空気を送ることができ、単純にノズルを複数配置した場合に比べ風速を維持したまま風量を低減することで消費電力を低減することができる。また高圧空気の吹出し方向を振動させることで広範囲に高圧空気を送ることができるため、ノズルの数を減らすことができ、風速を維持したまま風量を低減することで消費電力を低減することができる。
【００１４】
また、高圧空気を取り入れる吸込み口と、前記高圧空気を複数のノズルまで案内する少なくとも一つの風路分岐部を有する吹出し風路を備え、前記風路分岐部に空気分配手段を設け、前記風路分岐部により分岐された前記吹出し風路に前記空気分配手段により順々に前記高圧空気が流れるようにしたことを特徴とするもので、請求項１と同様の効果がある。
【００１５】
また、ノズルから吹出される高圧空気の吹出し方向が自励振動するようにしたことを特徴とするものであり、高圧空気の吹出し方向を振動させるための駆動手段が不要なため、駆動に必要なエネルギーが不要であり省エネである。
【００１６】
また、ノズルが風路分岐部により分岐された吹出し風路と、略長方形で外部に向けて拡大する吹出し口と、前記吹出し風路から前記吹出し口を連通する略長方形の主流路と、前記主流路の長辺側の片面から分岐して、反対側の前記主流路の長辺側の面に連通する循環風路とを備えて、前記主流路の長辺側の両面の圧力差により前記循環風路内の気体を駆動し、その結果圧力差が反転し、再び気体が駆動されることで前記吹出し口から吹出す高圧空気が前記主流路の短辺方向に振動する流体ノズルであることを特徴とするもので、高圧空気の吹出し方向を振動させるための駆動手段が不要なため、駆動に必要なエネルギーが不要であり省エネである。また、可動部がないため長期間安定して機能を発揮することができる。
【００１７】
また、空気分配手段が、風路を切り替える構造体であることを特徴とするものであり、風路を閉じた際には高圧空気を確実に遮断できるため、高圧空気を確実に分配できる。
【００１８】
また、空気分配手段が弁またはダンパーであることを特徴とするものであり、弁またはダンパーであれば、風路を閉じた際には高圧空気を確実に遮断できるため、高圧空気を確実に分配できる。
【００１９】
また、空気分配手段が、高圧空気の送風方向を自励振動させる構成としたことを特徴とするものであり、高圧空気の送風方向を振動させるための駆動手段が不要なため、駆動に必要なエネルギーが不要であり省エネである。
【００２０】
また、空気分配手段を流体素子とし、前記流体素子が、吸込み口と、略長方形で複数のノズル側に向けて拡大する吹出し風路と、高圧空気を前記複数のノズルに分岐する風路分岐部と、前記吸込み口から前記吹出し風路を連通する略長方形の主流路と、前記主流路の長辺側の片面から分岐して反対側の前記主流路の長辺側の面に連通する循環風路とを備えて、前記吹出し風路から吹出す高圧空気を前記主流路の短辺方向に振動させ高圧空気を前記風路分岐部により分岐された二つの前記吹出風路に交互に送ることを特徴とすることにより、前記主流路の長辺側の両面の圧力差により前記循環風路内の気体を駆動し、その結果圧力差が反転し、再び気体が駆動されることで前記吹出し風路から吹出す高圧空気が前記主流路の短辺方向に振動し、高圧空気を前記風路分岐部により分岐された二つの前記吹出風路に交互に送るものであり、高圧空気の送風方向を振動させるための駆動手段が不要なため、駆動に必要なエネルギーが不要であり、省エネとなる。また、可動部がないため長期間安定して機能を発揮することができる。
【００２１】
また、流体素子の循環風路とノズルとの間に、減圧手段を設けたことを特徴とするものであり、循環風路内の圧力が高まることで、高圧空気の安定した自励振動が妨げられるが、減圧手段を設けたことで、循環風路内の圧力上昇を抑制できるため、安定して高圧空気を流体素子で自励振動させることができる。
【００２２】
また、減圧手段が、気流吹出装置の外部と連通した逃がし風路を設けたことを特徴とするものであり、循環風路内の圧力が高まることで、高圧空気の安定した自励振動が妨げられるが、減圧手段として外部と連通した逃がし風路を設けたことで、循環風路内の圧力上昇を抑制できるため、安定して高圧空気を流体素子で自励振動させることができる。
【００２３】
また、逃がし風路から吹出される高圧空気の方向が、ノズルから吹出される高圧空気の方向と同一方向となるように逃がし風路を前記ノズル近傍に設けたことを特徴とするものであり、逃がし風路から吹出される高圧空気も、ノズルから吹出される高圧空気と合わせて対象に高圧空気を供給できるため、エネルギーを無駄なく使用することができる。
【００２４】
また、風路分岐部を複数設けたことを特徴とするものであり、ノズルの数に合わせて風路分岐部の数を設けることで、各々のノズルからは単ノズルのときに近い強度の高圧空気を得ることができるため、広範囲に高圧空気を送ることができ、風速を維持したまま風量を低減することで消費電力を低減することができる。
【００２５】
また、手を挿入できる空間を有する手乾燥室と、前記手乾燥室に向かって高圧空気を吹出す請求項１乃至１２いずれかに記載の気流吹出装置と、前記気流吹出し装置に高圧空気を供給する高圧空気発生装置とを設けた手乾燥装置であり、請求項１と同様の効果がある。
【００２６】
また、複数のノズルを手の挿入方向と略垂直方向に配置したことを特徴とする手乾燥装置であり、手の任意の位置での、手の挿入方向と略垂直方向一列の水滴を吹き飛ばすことができるため、手を引き抜く際に手首側から指先方向に水滴を移動させることができるため、乾きムラなく効率よく手乾燥を行うことができる。
【００２７】
また、高圧空気の振動方向が手の挿入方向と略垂直方向であることを特徴とする手乾燥装置であり、手の任意の位置での、手の挿入方向と略垂直方向一列の水滴を吹き飛ばすことができるため、手を引き抜く際に手首側から指先方向に水滴を移動させることができるため、乾きムラなく効率よく手乾燥を行うことができる。
【００２８】
また、隣り合うノズルから交互に高圧空気が吹出すことを特徴とする手乾燥装置であり、隣り合うノズルから交互に高圧空気が吹出すことで、いずれかのノズルから吹出された高圧空気により水滴が力を受けて変形し、水滴の表面積が、高圧空気が当たる前に比べて大きくなり、その状態の水滴に隣のノズルから高圧空気が当たることで、水滴の乾燥速度は水滴の表面積が大きいほど速いため、効率よく手乾燥を行うことができる。
【００２９】
また、複数のノズルを二つのノズルのグループに分け、前記二つのノズルのグループを対向して配置したことを特徴とする手乾燥装置であり、ノズルを対向して配置することで、手を挟み込むように高圧空気が手に当たるため、手を引き抜く際に高圧空気が手全体に当たり、効率よく手乾燥を行うことができる。
【００３０】
また、対向したノズルから交互に高圧空気が吹出すことを特徴とする手乾燥装置であり、いずれかのノズルから吹出された高圧空気により水滴が力を受けて変形し、水滴の表面積が、高圧空気が当たる前に比べて大きくなり、その状態の水滴に対向したノズルから高圧空気が当たることで、水滴の乾燥速度は水滴の表面積が大きいほど速いため、効率よく手乾燥を行うことができる。
【００３１】
以下、本発明の実施の形態について図面を参照しながら説明する。
【００３２】
（実施の形態１）
図１に示すように、気流吹出し装置ａ１１は、高圧空気１２を取り入れる吸込み口１３と、高圧空気１２を複数のノズルとしての流体ノズルａ１４、流体ノズルｂ１５まで案内し、途中に空気分配手段としての流体素子１６を備えた風路分岐部１７を配した吹出し風路１８で構成されている。ここで、高圧空気１２とは大気圧以上の圧力の空気をあらわす。また、図２に流体ノズルａ１４の拡大図を示すように、流体ノズルａ１４は、吹出し風路１８と略長方形で外部に向けて拡大する形状の吹出し口１９と、吹出し風路１８と吹出し口１９とを連通する略長方形の主流路ａ２０を備え、主流路ａ２０の長辺側の片側の面ａ５２から分岐して、反対側の主流路ａ２０の長辺側の面ｂ５３に連通する循環風路ａ２１とで構成されており、主流路ａ２０の長辺側の両面の圧力差により循環風路ａ２１内の気体を駆動し、その結果圧力差が反転し、再び気体が駆動されることで吹出し口１９から吹出す高圧空気１２が高圧空気振動方向５１に自励振動するものである。また、図３に空気分配手段としての流体素子１６の拡大図を示すように、流体素子１６は、吸込み口１３と、略長方形で複数のノズルとしての流体ノズルａ１４、流体ノズルｂ１５側に向けて拡大する吹出し風路１８と、高圧空気１２を流体ノズルａ１４、流体ノズルｂ１５に分岐する風路分岐部１７と、吸込み口１３から吹出し風路１８を連通する略長方形の主流路ｂ２２と、主流路ｂ２２の長辺側の片側の面ｃ５４から分岐して、反対側の主流路ｂ２２の長辺側の面ｄ５５に連通する循環風路ｂ２３とを備え、主流路ｂ２２の長辺側の両面の圧力差により循環風路ｂ２３内の気体を駆動し、その結果圧力差が反転し、再び気体が駆動されることで吹出し風路１８から吹出す高圧空気１２が、主流路ｂ２２の短辺方向に自励振動し、高圧空気１２を風路分岐部１７により分岐された二つの吹出し風路１８に交互に送るものである。また、流体素子１６は、循環風路ｂ２３と流体ノズルａ１４、流体ノズルｂ１５との間に、減圧手段としての逃がし風路２４が外部と連通して、流体ノズルａ１４、流体ノズルｂ１５の近傍に逃がし風路２４から吹出される高圧空気１２の方向が、流体ノズルａ１４、流体ノズルｂ１５から吹出される高圧空気１２の方向と同一方向となるように設けられている。
【００３３】
このような構成によれば、ノズルを動かすことがないので、ノズルを動かすために機構が不要であり、装置をコンパクトにできる。また、ノズルが動かないので、ノズルに外部から異物が接触しても安定して機能を発揮することができる。また、ノズルを複数配置しても各々のノズルからは単ノズルのときに近い強度の高圧空気を得ることができるため、広範囲に高圧空気を送ることができ、単純にノズルを複数配置した場合に比べ風速を維持したまま風量を低減することで消費電力を低減することができる。また高圧空気の吹出し方向を振動させることで広範囲に高圧空気を送ることができるため、ノズルの数を減らすことができ、風速を維持したまま風量を低減することで消費電力を低減することができる。また、空気分配手段として流体素子を用いれば、高圧空気の吹出し方向を振動させるための駆動手段が不要なため、駆動に必要なエネルギーが不要であり省エネである。また、可動部がないため長期間安定して機能を発揮することができる。また、流体素子に減圧手段を設けたことで、循環風路内の圧力上昇を抑制できるため、安定して高圧空気を流体素子で自励振動させることができる。また、逃がし風路から吹出される高圧空気の方向が、ノズルから吹出される高圧空気の方向と同一方向となるように逃がし風路をノズル近傍に設けたことで、逃がし風路から吹出される高圧空気も、ノズルから吹出される高圧空気と合わせて対象に高圧空気を供給できるため、エネルギーを無駄なく使用することができる。
【００３４】
（実施の形態２）
図４に示すように、気流吹出し装置ｂ２５は、高圧空気１２を取り入れる吸込み口１３と、高圧空気１２を複数のノズルとしての流体ノズルａ１４、流体ノズルｂ１５まで案内し、途中に空気分配手段としてのダンパーａ２６、ダンパーｂ２７を備えた風路分岐部１７を配した吹出し風路１８で構成されている。ダンパーａ２６、ダンパーｂ２７が交互に開閉することで、風路分岐部１７により分岐された二つの吹出し風路１８に交互に送るものである。なお、ここでは一例としてダンパーａ２６、ダンパーｂ２７を挙げたが、弁であってもよい。
【００３５】
このような構成によれば、ノズルを動かすことがないので、ノズルを動かすために機構が不要であり、装置をコンパクトにできる。また、ノズルが動かないので、ノズルに外部から異物が接触しても安定して機能を発揮することができる。また、ノズルを複数配置しても各々のノズルからは単ノズルのときに近い強度の高圧空気を得ることができるため、広範囲に高圧空気を送ることができ、単純にノズルを複数配置した場合に比べ風速を維持したまま風量を低減することで消費電力を低減することができる。また高圧空気の吹出し方向を振動させることで広範囲に高圧空気を送ることができるため、ノズルの数を減らすことができ、風速を維持したまま風量を低減することで消費電力を低減することができる。また、弁またはダンパーにより風路を閉じた際には高圧空気を確実に遮断できるため、高圧空気を確実に分配できる。
【００３６】
（実施の形態３）
図５に示すように、手乾燥装置ａ２８は、手を挿入できる空間を有する手乾燥室ａ２９と、手乾燥室ａ２９に向かって高圧空気１２を吹出す気流吹出装置ｃ３０と、気流吹出し装置ｃ３０に高圧空気１２を供給する高圧空気発生装置ａ３１とを設けたものである。ここで、手乾燥装置ａ２８において手は、手前から奥に向かい挿入するものである。また、高圧空気１２としては５から１２ｋＰａ程度のものが水滴を除去するために望ましい。また、図６に吹出す気流吹出装置ｃ３０の拡大図を示すように、気流吹出装置ｃ３０は、複数の風路分岐部に設けられた空気分配手段ａ３２と、手の挿入方向と略垂直に配置された複数のノズルａ〜ｈ３３〜４０で構成され、高圧空気１２は、振動方向が手の挿入方向と略垂直方向となるものである。このとき、高圧空気１２は隣り合うノズルａ３３−ノズルｂ３４、ノズルｃ３５−ノズルｄ３６、ノズルｅ３７−ノズルｆ３８、ノズルｇ３９−ノズルｈ４０から交互に吹出すものである。
【００３７】
このような構成によれば、ノズルを複数配置しても各々のノズルからは単ノズルのときに近い強度の高圧空気を得ることができるため、広範囲に高圧空気を送ることができ、単純にノズルを複数配置した場合に比べ風速を維持したまま風量を低減することで消費電力を低減することができる。また、複数のノズルを手の挿入方向と略垂直方向に配置したことで、手の任意の位置での、手の挿入方向と略垂直方向一列の水滴を吹き飛ばすことができるため、手を引き抜く際に手首側から指先方向に水滴を移動させることができるため、乾きムラなく効率よく手乾燥を行うことができる。また、高圧空気の振動方向が手の挿入方向と略垂直方向であることで、手の任意の位置での、手の挿入方向と略垂直方向一列の水滴を吹き飛ばすことができるため、手を引き抜く際に手首側から指先方向に水滴を移動させることができるため、乾きムラなく効率よく手乾燥を行うことができる。また、隣り合うノズルから交互に高圧空気が吹出すことで、隣り合うノズルから交互に高圧空気が吹出すことで、いずれかのノズルから吹出された高圧空気により水滴が力を受けて変形し、水滴の表面積が、高圧空気が当たる前に比べて大きくなり、その状態の水滴に隣のノズルから高圧空気が当たることで、水滴の乾燥速度は水滴の表面積が大きいほど速いため、効率よく手乾燥を行うことができる。
【００３８】
（実施の形態４）
図７に示すように、手乾燥装置ｂ４１は、手を挿入できる空間を有する手乾燥室ｂ４２と、手乾燥室ｂ４２に向かって高圧空気１２を吹出す一つ、または複数のノズルグループａ４３、ノズルグループｂ４４と、ノズルグループａ４３、ノズルグループｂ４４に高圧空気１２を供給する高圧空気発生装置ｂ４５とを設けたものである。ここで、手乾燥装置ｂ４１において手は、図上方からノズルグループａ４３、ノズルグループｂ４４の間に挿入するものである。また、ノズルグループａ４３とノズルグループｂ４４は対向して配置されており、風路分岐部に設けられた空気分配手段ｂ４６により、対向したノズルグループａ４３とノズルグループｂ４４から交互に高圧空気１２が吹出すものである。
【００３９】
このような構成によれば、ノズルを対向して配置することで、手を挟み込むように高圧空気が手に当たるため、手を引き抜く際に高圧空気が手全体に当たり、効率よく手乾燥を行うことができる。
【００４０】
また、対向したノズルから交互に高圧空気が吹出すことで、いずれかのノズルから吹出された高圧空気により水滴が力を受けて変形し、水滴の表面積が、高圧空気が当たる前に比べて大きくなり、その状態の水滴に対向したノズルから高圧空気が当たることで、水滴の乾燥速度は水滴の表面積が大きいほど速いため、効率よく手乾燥を行うことができる。
【産業上の利用可能性】
【００４１】
本発明にかかる気流吹出し装置は、手に付着した水滴を吹き飛ばす手乾燥装置などに適用でき、また、物体に付着した水滴や埃を高圧空気によって除去する用途にも適用できる。
【符号の説明】
【００４２】
１１    気流吹出し装置ａ
１２    高圧空気
１３    吸込み口
１４    流体ノズルａ
１５    流体ノズルｂ
１６    流体素子
１７    風路分岐部
１８    吹出し風路
１９    吹出し口
２０    主流路ａ
２１    循環風路ａ
２２    主流路ｂ
２３    循環風路ｂ
２４    逃がし風路
２５    気流吹出し装置ｂ
２６    ダンパーａ
２７    ダンパーｂ
２８    手乾燥装置ａ
２９    手乾燥室ａ
３０    気流吹出し装置ｃ
３１    高圧空気発生装置ａ
３２    空気分配手段ａ
３３    ノズルａ
３４    ノズルｂ
３５    ノズルｃ
３６    ノズルｄ
３７    ノズルｅ
３８    ノズルｆ
３９    ノズルｇ
４０    ノズルｈ
４１    手乾燥装置ｂ
４２    手乾燥室ｂ
４３    ノズルグループａ
４４    ノズルグループｂ
４５    高圧空気発生装置ｂ
４６    空気分配手段ｂ
５１    高圧空気振動方向
５２    面ａ
５３    面ｂ
５４    面ｃ
５５    面ｄ
１０１  送風装置
１０２  フィルタ
１０３  流体ノズル
２０１  気体吹出しノズル
２０２  供給部
２０３  吹出しノズル駆動手段
【図１】
2010279586.tif 000003
【図２】
2010279586.tif 000004
【図３】
2010279586.tif 000005
【図４】
2010279586.tif 000006
【図５】
2010279586.tif 000007
【図６】
2010279586.tif 000008
【図７】
2010279586.tif 000009
【図８】
2010279586.tif 000010
【図９】
2010279586.tif 000011